(57)【要約】  あらかじめ登録された登録文字列を含む地図データを記憶した地図データ記憶部５と、文字列を構成する各文字の部首を入力する入力部６と、地図データ記憶部に記憶されている地図データに含まれる登録文字列の中から、入力部で入力された各文字の部首を有する登録文字列を検索する文字列検索部３４と、文字列検索部で検索された登録文字列を出力する出力部７とを備えている。
2007125659.tif 000002
【特許請求の範囲】
【請求項１】
あらかじめ登録された登録文字列を含む地図データを記憶した地図データ記憶部と、
文字列を構成する各文字の部首を入力する入力部と、
前記地図データ記憶部に記憶されている地図データに含まれる登録文字列の中から、前記入力部で入力された各文字の部首を有する登録文字列を検索する文字列検索部と、
前記文字列検索部で検索された登録文字列を出力する出力部
とを備えた地図情報提供装置。
【請求項２】
地図データ記憶部に記憶されている地図データに含まれる登録文字列は、地名、施設名称、道路名称、交通路線名および外部から取得した情報を含む
ことを特徴とする請求項１記載の地図情報提供装置。
【請求項３】
入力部は、各文字の部首の第１画目の筆画を入力する
ことを特徴とする請求項１記載の地図情報提供装置。
【請求項４】
入力部は、文字列の各文字の部首の第１画目から第ｎ画目（ｎは２以上の整数）までの筆画を入力する
ことを特徴とする請求項１記載の地図情報提供装置。
【請求項５】
現在位置を検出する現在位置検出部と、
あらかじめ登録された登録文字列を含む地図データを記憶した地図データ記憶部と、
文字列を構成する各文字の部首を入力する入力部と、
前記地図データ記憶部に記憶されている地図データに含まれる登録文字列の中から、前記入力部で入力された各文字の部首を有する登録文字列を検索する文字列検索部と、
前記文字列検索部で検索された登録文字列を出力する出力部と、
前記文字列検索部で検索された登録文字列を目的地として設定する目的地設定部と、
前記現在位置検出部で検出された現在位置から、前記目的地設定部で設定された目的地までの経路を探索する経路探索部
とを備えたナビゲーション装置。
【発明の詳細な説明】
【技術分野】
【０００１】
この発明は、地図情報を提供する地図情報提供装置およびこれを用いたナビゲーション装置に関し、特に、文字入力を簡単にするための技術に関する。
【背景技術】
【０００２】
従来、ディスプレイ装置に地図を表示して経路案内を行うナビゲーション装置が知られている。このナビゲーション装置は、ユーザが目的地を設定することによって、現在地から目的地までの最適経路を探索し、この探索により得られた経路を走行経路として記憶する。そして、自車が移動を開始することにより経路案内を開始し、自車の周辺の地図上に、自車の現在位置および走行経路を表示して案内を行う。【０００３】
このようなナビゲーション装置において、目的地を設定する方法としては、住所検索、施設名称検索、登録地検索、Ｌａｓｔ２０検索等によって得られた地点を目的地として設定する方法が知られている。この場合、検索用キーワードは、文字入力または音声認識技術を利用した音声入力によって行われる。【０００４】
登録地検索またはＬａｓｔ２０検索の場合は、ユーザによって既に登録されている地点または最近に使用された２０箇所の地点がリスト形式でそれぞれ表示されるので、ユーザは、リストの中から所望の地点を選択することにより目的地を設定することができる。したがって、検索用キーワードの入力は不要である。これに対し、住所検索および施設名称検索により目的地を設定する場合は、以下のような操作が必要である。【０００５】
すなわち、文字入力の場合は、ユーザは、平仮名文字盤にタッチして所望の文字を一文字ずつ選択し、または、リモートコントローラを用いて平仮名文字盤上でカーソルを移動させ、所望の文字を一文字ずつ選択して「読み」を入力する。また、音声入力の場合は、所望の検索用キーワードの「読み」を発話して入力する。その後、入力された「読み」を検索用キーワードとして、住所データベースまたは施設名称データベースが検索され、所望の住所または施設名称が取得される。そして、この取得された住所または施設名称が目的地として設定される。【０００６】
文字入力によって漢字を入力する方法として、一般に、漢字の「読み」を平仮名またはローマ字で入力して漢字に変換する方法、漢字の部首を入力することにより一覧表示される複数の漢字から所望の漢字を選択して入力する方法等が知られている。【０００７】
例えば、特許文献１は、「読み」が分からない漢字を部首入力により迅速に入力できる漢字部首入力装置を開示している。この漢字部首入力装置は、文字列を入力する入力機構と、部首毎に漢字コードが並べられている漢字テーブルと、部首名と漢字テーブルのアドレス情報を持つ部首名テーブルと、入力機構からの仮名文字部首名に基づいて部首名テーブルより漢字テーブルのアドレス情報を引き出す部首名判断手段と、部首名判断手段からのアドレス情報により該漢字テーブルより漢字コードを読み取る検出手段と、この漢字コードを表示する表示機構とを備えている。そして、部首名判断手段に、入力機構から入力される部首名の画数に掛かる「数字」に基づいて作動し該画数の部首名を特定し該部首名にかかる漢字テーブルのアドレス情報を特定し出力する画数部首名判断機構が併設されている。【０００８】
また、特許文献２は、部首の選択時間を短縮することの可能な部首の位置による漢字入力方法を開示している。この漢字入力方法においては、部首入力設定キーの入力を判定し、部首入力設定キーが入力された時に部首の一覧を表示し、部首一覧表に目的の部首があるかを判断し、位置指定設定キーの入力を判定し、位置を指定するキーが入力された時に位置指定一覧を表示し、位置指定一覧で表示された位置から目的の位置を選択された時にあてはまる部首の一覧を表示し、その表示された部首から目的の部首を選択された時にその部首を持つ漢字候補の一覧を表示し、その表示された漢字から目的の漢字を選択された時にその漢字をカーソル位置に表示する。【０００９】
【特許文献１】特開平５−１５１１９６号公報
【特許文献２】特開平７−１９１９７９号公報
【００１０】
ところで、日本語や中国語といった漢字圏で使用されるナビゲーション装置においては、目的地を設定するための検索用キーワードを入力する場合、漢字で表記される住所や施設名称の「読み」が分からない場合は、文字入力や音声入力ができないという問題がある。このような問題は、例えば部首入力によって解消することができる。部首入力の場合は、１つの部首を入力すると、この入力された部首を有する複数の漢字がリスト形式で表示されるので、ユーザは、このリストの中から所望の１つの漢字を選択する。そして、この選択操作を、検索用キーワードを構成する文字数分だけ行う。したがって、目的地の設定に煩雑な操作が必要であり、時間がかかるという問題がある。【００１１】
この発明は、上述した問題を解消するためになされたものであり、その課題は、漢字から成る文字列の入力を簡単且つ迅速に行うことができる地図情報提供装置およびこれを用いたナビゲーション装置を提供することにある。
【発明の開示】
【００１２】
この発明に係る地図情報提供装置は、上記課題を解決するために、あらかじめ登録された登録文字列を含む地図データを記憶した地図データ記憶部と、文字列を構成する各文字の部首を入力する入力部と、地図データ記憶部に記憶されている地図データに含まれる登録文字列の中から、入力部で入力された各文字の部首を有する登録文字列を検索する文字列検索部と、文字列検索部で検索された登録文字列を出力する出力部とを備えている。
【００１３】
この発明によれば、文字列を構成する各文字の部首を入力し、この入出力された各文字の部首を有する登録文字列を、地図データ記憶部に記憶されている地図データに含まれる登録文字列の中から検索して出力するように構成したので、従来の部首入力のように、漢字を１文字ずつ入力する必要がない。したがって、漢字から成る文字列の入力を簡単且つ迅速に行うことができる。
【図面の簡単な説明】
【００１４】
【図１】この発明の実施の形態１に係るナビゲーション装置の構成を示すブロック図である。
【図２】この発明の実施の形態１に係るナビゲーション装置に含まれる電子制御装置の機能的な構成を示すブロック図である。
【図３】この発明の実施の形態１に係るナビゲーション装置の動作を示すフローチャートである。
【図４】図３に示すフローチャートの文字入力処理の詳細を示すフローチャートである。
【図５】図３に示すフローチャートの部首入力処理の詳細を示すフローチャートである。
【図６】この発明の実施の形態１に係るナビゲーション装置において入力される部首の一部の例を示す図である。
【図７】この発明の実施の形態１に係るナビゲーション装置において入力される部首の一部の他の例を示す図である。
【発明を実施するための最良の形態】
【００１５】
以下、この発明をより詳細に説明するために、この発明を実施するための最良の形態について、添付の図面に従って説明する。
なお、以下では、この発明に係る地図情報提供装置がナビゲーション装置に適用された場合を例に挙げて説明する。
実施の形態１．
図１は、この発明の実施の形態１に係るナビゲーション装置の構成を示すブロック図である。このナビゲーション装置は、入出力ユニット１、ナビゲーションユニット２、および、ナビゲーションユニット２から出力される音声信号にしたがって案内メッセージを音声で発生するオーディオスピーカ３から構成されている。【００１６】
入出力ユニット１は、モニタ１１、タッチパネル１２、リモートコントローラ（以下、「リモコン」と略する）１３およびリモコン受光部１４から構成されている。モニタ１１は、例えば液晶ディスプレイ装置やＣＲＴディスプレイ装置から構成されており、ナビゲーションユニット２から送られてくる映像信号にしたがって、地図、自車マーク、走行経路といった経路案内情報や、各種情報を表示する。【００１７】
タッチパネル１２は、モニタ１１の表示画面上に載置されており、ユーザが各種情報を入力するために使用される。このタッチパネル１２は、モニタ１１の表示画面に形成された「ボタン」にユーザがタッチすることにより、そのボタンに応じたデータを発生する。このタッチパネル１２にタッチすることにより発生されたデータは、ナビゲーションユニット２に送られる。【００１８】
リモコン１３は、該リモコン１３に設けられた図示しないボタンが操作されることにより赤外線を発生し、リモコン受光部１４に送信する。リモコン受光部１４は、リモコン１３から送信されてくる赤外線を受光し、リモコン信号に変換してナビゲーションユニット２に送る。ナビゲーションユニット２は、このリモコン受光部１４から送られてくるリモコン信号に応じて、モニタ１１に表示されたカーソルを移動させたり、また、カーソル位置に存在するボタンを選択したりする。【００１９】
ナビゲーションユニット２は、ＧＰＳ（Global Positioning System）受信機２１、車速センサ２２、ジャイロセンサ２３、道路情報受信機２４、ディスク駆動装置２５および電子制御装置２６から構成されている。【００２０】
ＧＰＳ受信器２１は、複数のＧＰＳ衛星からの電波を受信することにより自車位置を計測することができるＧＰＳ信号を生成し、電子制御装置２６に送る。車速センサ２２は、外部から送られてくる外部信号に基づき自車の移動速度を検出し、速度信号として電子制御装置２６に送る。ジャイロセンサ２３は、自車の進行方向を検出し、方位信号として電子制御装置２６に送る。【００２１】
道路情報受信機２４は、例えば、ＶＩＣＳ（Vehicle Information and Communication System）、ＴＭＣ（Traffic Message Channel）、メール、インターネット等から情報を取得し、電子制御装置２６に送る。この道路情報受信機２４で受信された情報は、ディスク駆動装置２５が書き換え可能な記憶媒体で構成される場合は、地図データの一部としてディスク駆動装置２５の記憶媒体に記憶される。【００２２】
ディスク駆動装置２５は、例えばＨＤＤ（Hard Disk Drive）やＤＶＤ（Digital Versatile Disk）ドライブ、ＣＤ（Compact Disc）ドライブなどから構成されている。ＨＤＤや、ＤＶＤドライブに装着されたＤＶＤ、ＣＤドライブに装着されたＣＤは、地図データを記憶している。この地図データには、地名、施設名称、道路名称、交通路線名および道路情報受信機２４で取得された情報が含まれる。【００２３】
電子制御装置２６は、ナビゲーション装置の全体を制御する。図２は、電子制御装置２６の機能的な構成を示すブロック図である。この図２において、地図データ記憶部５は、ディスク駆動装置２５に対応する。入力部６は、タッチパネル１２、リモコン１３およびリモコン受信部１４から構成されている。また、出力部７は、モニタ１１およびオーディオスピーカ３から構成されている。【００２４】
電子制御装置２６は、位置検出部３１、地図表示部３２、マップマッチング部３３、文字列検索部３４、目的地設定部３５、経路探索部３６および経路案内部３７から構成されている。【００２５】
位置検出部３１は、ＧＰＳ受信機２１から送られてくるＧＰＳ信号、車速センサ２２から送られてくる速度信号およびジャイロセンサ２３から送られてくる方位信号に基づき自己の現在位置を検出する。この位置検出部３１で検出された自己の現在位置を表す現在位置データは、地図表示部３２、マップマッチング部３３、経路探索部３６および経路案内部３７に送られる。【００２６】
地図表示部３２は、位置検出部３１から送られてくる現在位置データによって示される現在位置を中心とする所定範囲の地図データを地図データ記憶部５から読み出し、出力部７に送る。これにより、出力部７を構成するモニタ１１に、自己の現在位置の周辺の地図が表示される。【００２７】
マップマッチング部３３は、位置検出部３１から送られてくる現在位置データによって示される現在位置と地図データ記憶部５から読み出した地図データとを照合することにより、自車位置が地図上の道路から外れないように修正する制御を行う。このマップマッチング部３３においてマップマッチングされた後の自車位置を示すデータは、経路案内部３７に送られる。【００２８】
文字列検索部３４は、入力部６から入力された、目的地を表す漢字から成る文字列を構成する各文字の部首または部首の一部を有する登録文字列を、地図データ記憶部５に記憶されている地図データに含まれる複数の登録文字列の中から検索する。この文字列検索部３４で検索された登録文字列は、目的地設定部３５および出力部７に送られる。これにより、出力部を構成するモニタ１１上に、検索された登録文字列が表示される。なお、検索された登録文字列の読みを、オーディオスピーカ３から音声で出力するように構成することもできる。【００２９】
目的地設定部３５は、文字列検索部３４から送られてくる登録文字列を、経路探索部３６に対して、目的地として設定する。経路探索部３６は、位置検出部３１から送られてくる現在位置データによって示される現在位置から、目的地設定部３５から設定された目的地までの最適経路を、地図データ記憶部５から読み出した地図データに基づいて探索する。この経路探索部３６で探索された最適経路は、走行経路として経路案内部３７に送られる。【００３０】
経路案内部３７は、経路探索部３６から送られてくる走行経路およびマップマッチング部３３から送られてくるデータによって示される自車位置に、自車マークを描画して出力部７に送る。これにより、出力部７を構成するモニタ１１上に、地図表示部３２によって表示された地図上に、走行経路および自車マークが重畳して表示されるとともに、例えば分岐地点などでは、オーディオスピーカ３から進路方向の案内メッセージが音声で出力され、経路案内が行われる。【００３１】
次に、上記のように構成されるナビゲーション装置の動作を、経路探索に使用される目的地を設定する処理を中心に、図３〜図５に示すフローチャート、ならびに、図６および図７に示す説明図を参照しながら説明する。【００３２】
ナビゲーション装置の電源がオンされると、ナビゲーション処理が開始される。なお、ディスク駆動装置２５がＤＶＤドライブまたはＣＤドライブから構成されている場合は、ナビゲーション装置の電源がオンされた直後に、地図データが記憶されたＤＶＤまたはＣＤがディスク駆動装置２５に挿入される。【００３３】
ナビゲーション装置において処理が開始されると、まず、現在位置データおよび地図データが取得される（ステップＳＴ１１）。すなわち、地図表示部３２は、位置検出部３１から現在位置データを取得するとともに、地図データ記憶部５から地図データを取得する。次いで、地図表示が行われる（ステップＳＴ１２）。すなわち、地図表示部３２は、ステップＳＴ１１で取得した現在位置データによって示される現在位置から所定範囲の地図データを取得し、この取得した地図データに基づき地図を表す映像信号を生成して出力部７に送る。これにより、出力部７を構成するモニタ１１の表示画面に、現在位置の周辺の地図が表示される。【００３４】
次いで、目的地設定メニュー画面が表示される（ステップＳＴ１３）。すなわち、電子制御装置２６は、目的地設定メニュー画面を表す映像信号を生成してモニタ１１に送る。これにより、モニタ１１の表示画面に、目的地設定メニュー画面が表示される。この実施の形態１においては、目的地設定の方法として、住所検索、施設名称検索、登録地検索およびＬａｓｔ２０検索が用意されているものとするが、登録地検索およびＬａｓｔ２０検索の場合は、検索用キーワードの入力は不要であるので、これらの説明は省略する。【００３５】
この目的地設定メニュー画面が表示された状態で、ユーザがタッチパネル１２またはリモコン１３を用いて、住所検索または施設名称検索を選択すると、次いで、入力方法として文字入力が指定されているか部首入力が指定されているかが調べられる（ステップＳＴ１４）。なお、この入力方法の指定は、図示しないメニュー画面を用いて行うことができる。このステップＳＴ１４において、文字入力が指定されていることが判断されると、文字入力処理が実行される（ステップＳＴ１５）。【００３６】
このステップＳＴ１５で実行される文字入力処理の詳細を、図４に示すフローチャートを参照しながら説明する。この文字入力処理は、従来のナビゲーション装置において採用されている処理であるので、以下では、説明を簡略化する。【００３７】
文字入力処理では、まず、平仮名文字盤が表示される（ステップＳＴ３１）。すなわち、モニタ１１に、「あ」、「い」、「う」、・・・「わ」、「を」および「ん」といった５１文字が表示される。次いで、目的地の読みを表す平仮名文字が順次に選択される（ステップＳＴ３２）。すなわち、ユーザは、所望の平仮名文字が表示されているタッチパネル１２の部分にタッチするか、リモコン１３でカーソルを移動させて所望の平仮名文字を選択する。例えば、「北京国際飯店」を目的地に設定する場合は、「ぺ」、「き」、「ん」、「こ」、「く」、「さ」、「い」、「は」、「ん」、「て」、「ん」という文字列を平仮名文字で入力する。【００３８】
次いで、地図データ記憶部５から、ステップＳＴ３２で入力された平仮名文字列に合致する施設名称が抽出される（ステップＳＴ３３）。次いで、漢字変換が行われる（ステップＳＴ３４）。すなわち、「ぺ」、「き」、「ん」、「こ」、「く」、「さ」、「い」、「は」、「ん」、「て」、「ん」という平仮名文字列が「北京国際飯店」という漢字文字列に変換される。【００３９】
次いで、漢字出力が行われる（ステップＳＴ３５）。すなわち、ステップＳＴ２４で変換することにより得られた、施設名称を表す漢字文字列がモニタ１１に表示される。この際、漢字文字列の読みを、オーディオスピーカ３から音声で出力するように構成することもできる。【００４０】
次いで、ステップＳＴ３５で出力された漢字文字列が妥当であるかどうかの問い合わせが行われる（ステップＳＴ３６）。このステップＳＴ３６において、ユーザが妥当でないことを、例えばタッチパネル１２またはリモコン１３によって指示すると、シーケンスはステップＳＴ３３に戻って、上述した処理が再度実行される。これにより、同じ読みを有する他の漢字文字列が出力される。以下、ステップＳＴ３３〜ＳＴ３６の処理が繰り返され、この繰り返しの途中で、ステップＳＴ３６において、妥当であることが指示されると、文字入力処理は終了する。【００４１】
上記ステップＳＴ１４において、部首入力が指定されていることが判断されると、部首入力処理が実行される（ステップＳＴ１６）。このステップＳＴ１６で実行される部首入力処理の詳細を、図５に示すフローチャート、ならびに、図６および図７に示す説明図を参照しながら説明する。【００４２】
部首入力処理では、まず、部首入力画面が表示される（ステップＳＴ４１）。すなわち、モニタ１１の表示画面に、部首の一部、例えば部首の第１画目の筆画が表示される。ここで、筆画とは、漢字の字体を構成する要素の一つで、最小の単位である線や点をいう。次いで、目的地を表す漢字文字列の部首の一部が順次に選択される（ステップＳＴ４２）。すなわち、ユーザは、部首入力画面上で、部首の一部を表すタッチパネル１２の部分にタッチするか、リモコン１３でカーソルを移動させて所望の部首の一部を選択する操作を漢字文字列の数の分だけ行うかまたは入力により目的地が地図データ記憶部５から自動選択される。【００４３】
例えば、「北京国際飯店」を目的地に設定する場合は、図６（ａ）の実線で示すように、部首の第１画目を順次に選択する。また、「京都国際会議場」を目的地に設定する場合は、図６（ｂ）の実線で示すように、部首の第１画目を順次に選択する。また、「関西国際空港」を目的地に設定する場合は、図６（ｃ）の実線で示すように、部首の第１画目を順次に選択する。【００４４】
次いで、地図データ記憶部５から、ステップＳＴ４２で入力された部首の一部を有する施設名称が抽出される（ステップＳＴ４３）。すなわち、文字列検索部３４は、地図データ記憶部５に記憶されている地図データに含まれる登録文字列の中から、入力部６で入力された各文字の部首を有する登録文字列（施設名称）を検索して抽出し、目的地設定部３５に送る。今、図６（ａ）に示すような部首の一部が入力されたとすると、例えば「北京国際飯店」という漢字文字列が目的地設定部３５に送られる。【００４５】
次いで、漢字出力が行われる（ステップＳＴ４４）。すなわち、文字列変換部３４は、ステップＳＴ２４で漢字文字列を出力部７に送る。これにより、出力部７を構成するモニタ１１に「北京国際飯店」という漢字文字列が表示される。この際、漢字文字列の読みを、オーディオスピーカ３から音声で出力するように構成することもできる。【００４６】
次いで、ステップＳＴ４４で出力された漢字が妥当であるかどうかの問い合わせが行われる（ステップＳＴ４５）。このステップＳＴ４５において、ユーザが妥当でないことを、例えばタッチパネル１２またはリモコン１３によって指示すると、シーケンスはステップＳＴ４３に戻って、上述した処理が再度実行される。これにより、同じ部首列を有する他の漢字文字列が出力される。以下、ステップＳＴ４３〜ＳＴ４５の処理が繰り返され、この繰り返しの途中で、ステップＳＴ４５において、妥当であることが指示されると、部首入力処理は終了する。【００４７】
以上のようにして、目的地を表す漢字文字列が決定されると、図３のフローチャートに示すように、次いで、目的地設定が行われる（ステップＳＴ１７）。すなわち、目的地設定部３５は、文字列検索部３４から送られてくる漢字文字列を、経路探索部３６に対して、目的地として設定する。【００４８】
次いで、経路探索が行われる（ステップＳＴ１８）。すなわち、経路探索部３６は、位置検出部３１から送られてくる現在位置データで示される現在位置から、目的地設定部３５から設定された目的地までの最適経路を、地図データ記憶部５から読み出した地図データに基づき探索する。この経路探索部３６で探索された最適経路は、走行経路として経路案内部３７に送られる。【００４９】
次いで、経路誘導案内が開始される（ステップＳＴ１９）。すなわち、経路案内部３７は、経路探索部３６から送られてくる走行経路およびマップマッチング部３３から送られてくる自車位置データによって示される位置に自車マークを描画して出力部７に送る。これにより、出力部７を構成するモニタ１１上に、地図表示部３２によって表示された地図上に、走行経路および自車マークが重畳して表示されるとともに、例えば分岐地点などでは、オーディオスピーカ３から進路方向の案内メッセージが音声で出力され、経路案内が行われる。以上により、ナビゲーション装置の動作は終了する。【００５０】
なお、上述した実施の形態１に係るナビゲーション装置では、部首入力を行う場合に、部首の第１画目の筆画を入力するように構成したが、第１画目および第２画目の画筆を入力するように構成することができる。例えば、「北京国際飯店」を目的地に設定する場合は、図７（ａ）の実線で示すように、部首の第１画目および第２画目を文字毎に順次に選択する。また、「京都国際会議場」を目的地に設定する場合は、図７（ｂ）の実線で示すように、部首の第１画目および第２画目を文字毎に順次に選択する。また、「関西国際空港」を目的地に設定する場合は、図６（ｃ）の実線で示すように、部首の第１画目および第２画目を文字毎に順次に選択する。この構成により、ステップＳＴ４３における抽出処理において、抽出される漢字文字列の絞り込みを行うことができる。【００５１】
一般的には、部首入力を行う場合に入力する筆画は、第１画目から第ｎ画目（ｎは１以上の整数）までとすることができる。また、部首入力を行う場合には、例えば、偏、旁、脚、構、垂、繞といった部首自体を入力するように構成することもできる。この構成によれば、抽出される漢字文字列をさらに絞り込むことができる。【００５２】
また、実施の形態１に係るナビゲーション装置では、部首入力画面を表示し、表示された部首の一部または部首自体をタッチパネル１２またはリモコン１３を用いて選択することにより部首入力を行うように構成したが、タッチパネル１２上に手書きで部首の一部または部首自体を描くことにより、部首の一部または部首自体を入力するように構成することもできる。【００５３】
以上説明したように、この発明の実施の形態１に係るナビゲーション装置によれば、ユーザは、所望する目的地を設定する場合に、平仮名を一文字ずつ入力する必要がなく、簡単な部首入力によって、簡単且つ迅速に目的地を入力することができる。【００５４】
なお、上述した実施の形態１では、この発明の地図情報提供装置の一例としてナビゲーション装置を用いて説明したが、この発明に係る地図情報提供装置は、ナビゲーション装置に限らず、文字入力が行われる携帯電話、ＰＤＡ（Personal Digital Assistant）、パーソナルコンピュータなどにも適用できる。
【産業上の利用可能性】
【００５５】
この発明に係る地図情報提供装置およびこれを用いたナビゲーション装置は、文字列を構成する各文字の部首を入力して、入力された各文字の部首を有する登録文字列を、地図データの中から検索して出力するように構成し、漢字から成る文字列の入力を簡単且つ迅速に行うことができるため、漢字文字入力が行われるナビゲーション装置、携帯電話、ＰＤＡ（Personal Digital Assistant）、パーソナルコンピュータなどに用いるのに適している。
【図１】
2007125659.tif 000003
【図２】
2007125659.tif 000004
【図３】
2007125659.tif 000005
【図４】
2007125659.tif 000006
【図５】
2007125659.tif 000007
【図６】
2007125659.tif 000008
【図７】
2007125659.tif 000009
【国際調査報告】
2007125659.tif 000010
2007125659.tif 000011
2007125659.tif 000012